(57)【要約】【課題】カウンタの下側にカバーを配置してそれらの間の収納空間内に水栓機構部を収納して成るカウンタ一体型埋込水栓を左右長の短いコンパクトなものとして構成する。【解決手段】カウンタとカウンタ下に配置されたカバー１４との間に形成された収納空間内に、温調機能部３６，吐水口からの吐水及びシャワーヘッドからの吐水を切り替える切替機能部３８を含む水栓機構部４０を配管とともに埋め込んで成り、後側の取付壁に取付固定されるカウンタ一体型埋込水栓において、温調機能部３６と切替機能部３８とを取付壁に沿った左右方向の両端部に離隔して配置するとともに、水側の壁出し止水栓４２及び湯側の壁出し止水栓４４を、それら温調機能部３６と切替機能部３８との間の位置において収納空間内部に収納する。【選択図】        図２
2004150211.tif 000002
【特許請求の範囲】
【請求項１】
カウンタと該カウンタの下に配置されたカバーとの間に形成された収納空間内に、温調機能部，吐水口からの吐水及びシャワーヘッドからの吐水を切り替える切替機能部を含む水栓機構部を配管とともに埋め込んで成り、後側の取付壁に取付固定されるカウンタ一体型埋込水栓であって、
前記温調機能部と切替機能部とを前記収納空間内において前記取付壁に沿った左右方向の両端部に離隔して配置するとともに、水側の壁出し止水栓及び湯側の壁出し止水栓を、それら温調機能部と切替機能部との間の位置において前記収納空間内部に収納したことを特徴とするカウンタ一体型埋込水栓。
【請求項２】
請求項１において、前記水側及び湯側の各壁出し止水栓が縦向きに配向されていて、下部に操作部が前記カバーの下面の点検口に臨んで配置されていることを特徴とするカウンタ一体型埋込水栓。
【請求項３】
請求項１，２の何れかにおいて、前記水側の壁出し止水栓から延び出した内部給水配管，前記湯側の壁出し止水栓から延び出した内部給湯配管が、前記温調機能部と切替機能部との間の位置に配管されていることを特徴とするカウンタ一体型埋込水栓。
【請求項４】
請求項２において、前記点検口を開閉する点検口蓋が前記カバーの一部として構成されており、且つ該カバーの内面には鏡面状のメッキ処理が施してあり、該カバーを開いた状態でカバー内面に前記水側及び湯側の各壁出し止水栓の操作部が映るようになしてあることを特徴とするカウンタ一体型埋込水栓。
【発明の詳細な説明】
【０００１】
【発明の属する技術分野】
この発明は、カウンタとカウンタの下側に配置されたカバーとの間に形成された収納空間内に温調機能部，吐水口からの吐水とシャワーヘッドからの吐水とを切り替える切替機能部を含む水栓機構部を収納して成るカウンタ一体型埋込水栓に関する。
【０００２】
【従来の技術】
この種カウンタ一体型埋込水栓として、従来、下記特許文献１に開示されたものが公知である。
図８はその具体例を示している。この例はカウンタ一体型埋込水栓を浴室の洗い場側に設置した例である。
【０００３】
同図において２００は浴槽で２０２は洗い場で、この洗い場２０２側の取付壁Ｗに、カウンタ一体型埋込水栓２０４が取り付けられている。
このカウンタ一体型埋込水栓２０４は、カウンタ２０６と、その下側に配置されたカバー２０８との間に形成された収納空間に、温調機能部，切替機能部を含む水栓機構部が内部給水配管２１６，内部給湯配管２１８等の配管とともに収納されている。
【０００４】
そしてそれら内部の温調機能部，切替機能部に連結された温調ハンドル（温度調節ハンドル）２１２，切替ハンドル２１４が外部に露出する状態でカバー２０８の前面に取り付けられている。
また温調ハンドル２１２と切替ハンドル２１４との間の位置において、吐水口２１０がカバー２０８から突き出す状態で設けられている。
ここで切替機能部は、切替ハンドル２１４の操作によって吐水口２１０からの吐水とシャワーヘッドからの吐水とを切り替える。
尚、２２０は取付壁Ｗから突き出した壁出し止水栓である。
【０００５】
このカウンタ一体型埋込水栓２０４においては、温調機能部，切替機能部を含む水栓機構部が温調ハンドル２１２，切替ハンドル２１４の丁度裏側、即ちカバー２０８及びカウンタ２０６の左右方向の略中央部に配置されており、これに対して図８に示しているように壁出し止水栓２２０はそのカウンタ一体型埋込水栓２０４の左右方向端部、即ちカウンタ２０６及びカバー２０８で囲まれた内側の収納空間の図中左端部に配置されている。
【０００６】
【特許文献１】
特開２０００−３１６７３７号公報
【０００７】
【発明が解決しようとする課題】
図８に示しているように従来のカウンタ一体型埋込水栓２０４の場合、壁出し止水栓２２０が水栓機構部から遠く離れた位置に配置されており、このため必然的にカウンタ２０６及びカバー２０８が、これを内側に隠蔽すべく左右に長いものとなってしまう問題があった。
即ちカウンタ一体型埋込水栓２０４自体が左右方向に長い大型のものとなってしまう問題があった。
【０００８】
【課題を解決するための手段】
本発明のカウンタ一体型埋込水栓はこのような課題を解決するために案出されたものである。
而して請求項１のものは、カウンタと該カウンタの下に配置されたカバーとの間に形成された収納空間内に、温調機能部，吐水口からの吐水及びシャワーヘッドからの吐水を切り替える切替機能部を含む水栓機構部を配管とともに埋め込んで成り、後側の取付壁に取付固定されるカウンタ一体型埋込水栓であって、前記温調機能部と切替機能部とを前記収納空間内において前記取付壁に沿った左右方向の両端部に離隔して配置するとともに、水側の壁出し止水栓及び湯側の壁出し止水栓を、それら温調機能部と切替機能部との間の位置において前記収納空間内部に収納したことを特徴とする。
【０００９】
請求項２のものは、請求項１において、前記水側及び湯側の各壁出し止水栓が縦向きに配向されていて、下部に操作部が前記カバーの下面の点検口に臨んで配置されていることを特徴とする。
【００１０】
請求項３のものは、請求項１，２の何れかにおいて、前記水側の壁出し止水栓から延び出した内部給水配管，前記湯側の壁出し止水栓から延び出した内部給湯配管が、前記温調機能部と切替機能部との間の位置に配管されていることを特徴とする。
【００１１】
請求項４のものは、請求項２において、前記点検口を開閉する点検口蓋が前記カバーの一部として構成されており、且つ該カバーの内面には鏡面状のメッキ処理が施してあり、該カバーを開いた状態でカバー内面に前記水側及び湯側の各壁出し止水栓の操作部が映るようになしてあることを特徴とする。
【００１２】
【作用及び発明の効果】
以上のように本発明は、カウンタとカバーとの間の収納空間内において、温調機能部と切替機能部とを左右方向の両端部に離隔して配置するとともに、水側の壁出し止水栓及び湯側の壁出し止水栓の何れをもそれらの間の位置に配置したもので、かかる本発明によれば、それら温調機能部，切替機能部から左右方向に遠く離れた位置に水側の壁出し止水栓及び湯側の壁出し止水栓を配置した場合のように、それらを内側に隠蔽すべくカウンタ及びカバーを左右方向に長く形成する必要がなく、それらの左右方向長を短く構成することができる。
即ちカウンタ一体型埋込水栓を、左右方向長の短いコンパクトなものとして構成することができ、その美観を良好となすことができる。
【００１３】
この場合において水側の壁出し止水栓及び湯側の壁出し止水栓を縦向きに配向して、その下部に操作部をカバーの下面の点検口に臨んで配置しておくことができる（請求項２）。
このようにしておくことで、点検口を通じ止水栓の操作をカウンタ一体型埋込水栓の左右方向の略中央部において容易に行うことができる。
【００１４】
本発明においては、水側の壁出し止水栓から延び出した内部給水配管，湯側の壁出し止水栓から延び出した内部給湯配管を、上記温調機能部と切替機能部との間に配管しておくことができる（請求項３）。
このように温調機能部と切替機能部との間に水側の壁出し止水栓からの水を導く内部給水配管，湯側の壁出し止水栓からの湯を導く内部給湯配管を設けた場合、収納空間内、詳しくは温調機能部と切替機能部との間の部分で配管が複雑に入り組んだ状態となるものの、温調機能部及び切替機能部の間に上記内部給水配管，内部給湯配管を組み込むことで、カウンタ一体型埋込水栓の左右長を短くでき、かかる水栓をコンパクトに構成することができる。
ここで吐水口もまた温調機能部と切替機能部との間の位置に配置しておくことができる。
【００１５】
請求項４は上記点検口を開閉する点検口蓋を、上記カバーの一部として構成するとともに、その内面に鏡面状のメッキ処理を施し、カバーを開いた状態でカバー内面に壁出し止水栓の操作部が映るようになしたもので、このようにしておけばカバーの下面に点検口を設けた場合であっても、止水栓の操作に際しその点検口から上向きに覗き込まなくても、カバーの内面に止水栓の操作部を映し出すことによって、これを無理な姿勢を取ることなく容易に操作することができる。
【００１６】
【実施例】
次に本発明の実施例を図面に基づいて詳しく説明する。
図１において、１０は本例のカウンタ一体型埋込水栓で、１２はカウンタ、１４はカバーである。
図１から明らかなように、この例ではカウンタ１２はカバー１４よりも左右長が長く、左端側及び右端側がそれぞれカバー１４より左側及び右側に延出した形態をなしている。
【００１７】
１６はカバー１４の左右方向略中央位置において、カバー１４から露出して下向きに突出した吐水口で、１８は吐水口１６の左側にカバー１４から露出してその前面に設けられた温調ハンドル（温度調節ハンドル）、２０は吐水口１６の右側にカバー１４から露出してその前面に設けられた切替ハンドルである。
【００１８】
切替ハンドル２０は、吐水口１６からの吐水と後述のシャワーヘッド２８からの吐水を切替操作する部分である。
この切替ハンドル２０はまた、吐止水及び水量調節のための操作部も兼ねている。
【００１９】
２６はシャワーホースで、その先端にシャワーヘッド２８が接続されている。２２はカバー１４の下面に設けられた点検口で、２４は点検口蓋である。この点検口蓋２４はカバー１４の一部を構成している。
【００２０】
図２に示しているように、カバー１４は前面カバー部３２及び左右一対の側面カバー部３４を有している。
カバー１４は、上記カウンタ１２とともに内部に収納空間を形成しており、その収納空間に温調機能部３６，切替機能部３８を含む水栓機構部４０が各種配管とともに収納されている。
【００２１】
ここで温調機能部３６は収納空間内において図２中右側端部、即ち正面から見て左側端部に配置されており、また切替機能部３８は収納空間内において図２中左側端部、即ち正面から見て右側端部にそれぞれ互いに離隔して配置されている。
図２中３０は、この収納空間に収納された水栓機構部４０と各種配管及びカバー１４とから成る水栓ユニットを表している。
【００２２】
収納空間にはまた、水側の壁出し止水栓（以下単に止水栓とする）４２及び湯側の壁出し止水栓（以下単に止水栓とする）４４が、温調機能部３６と切替機能部３８との間の位置において収納されている（図３，図４参照）。
これら止水栓４２，４４は収納空間内において縦向きに配向されており、その下部には回転ハンドル式の操作部５４が設けられていて、それら操作部５４が点検口２２に臨んで位置している。
【００２３】
ここで止水栓４２，４４の下部からは後向きに接続管４６がそれぞれ延び出していて、それら接続管４６が、取付壁Ｗの裏側の元管に別の接続管を介して接続されるようになっている。
各止水栓４２，４４の上部からは内部給水配管４８，内部給湯配管５０がそれぞれ前方に延び出している。
【００２４】
これら内部給水配管４８，内部給湯配管５０は、それぞれ一旦前方に延び出した後、湾曲して後方向きに向きを変化させ、その後横向きに延出した後、更に温調機能部３６近傍で再びその向きを前方に湾曲して変化させ、各先端部が更に下向きに向きを変えてそれぞれ図２中右側の温調機能部３６の上端に接続されている。
即ち止水栓４２，４４を経由した水と湯とが、それぞれ温調機能部３６に流入し、そこで温調ハンドル１８の回転操作に基づいて所定比率で混合されるようになっている。
【００２５】
この温調機能部３６と切替機能部３８とは、それらの後側において内部連絡配管５２で接続されている。
ここで内部連絡配管５２は温調機能部３６から後向きに突き出した後湾曲して横向き、即ち接続管４６の下側を通って左右方向に延出し、そして切替機能部３８の後側で再び向き前方側に変化させてその先端部が切替機能部３８の後部に接続されている。
温調機能部３６からの混合水はこの内部連絡配管５２を通じて切替機能部３８へと導かれる。
【００２６】
切替機能部３８の側部からは吐水口１６用の内部配管５６及びシャワー用の内部配管５８が延び出しており、その一方が上記の吐水口１６に、また他方がカバー１４から突き出した先端部で接続具５９等を介し上記のシャワーホース２６に接続されている。
尚この例では、シャワー用の内部配管５８が図２中右側、即ち使用者から見て左側に延び出してカバー１４より外側へと突き出しているが、シャワーヘッド２８がカバー１４の右側に配置される場合においては、シャワー用の内部配管５８を切替機能部３８から出た後右向きに（使用者から見て右向き）に向きを変化させてカバー１４より右側の外部にこれを突き出すようになすこともできる。
【００２７】
６６は水栓ユニット３０、具体的にはカバー１４を取付壁Ｗに固定するためのバックハンガ金具で、掛止部６８と固定部７０とを有しており、その固定部７０においてねじ７２により取付壁Ｗに固定されるようになっている。
そしてその掛止部６８に対し、カバー１４に固定のブラケット６０が掛止されるようになっている。
【００２８】
ここでブラケット６０には掛止穴６２が設けられており、その掛止穴６２においてバックハンガ金具６６の掛止部６８に掛止されるようになっている。
尚、ブラケット６０にはその上部に締結孔６４が設けられており、その締結孔６４において、バックハンガ金具６６の上端部の水平な締結片７４とねじにて締結されるようになっている。
ここでバックハンガ金具６６とブラケット６０とは水栓ユニット専用固定具を成している。
【００２９】
図１の点検口蓋２４には、その内面に鏡面状のメッキが施されており、点検口蓋２４を開いた状態で、点検口２２を下から上向きに覗き込まなくても止水栓４２，４４の操作部５４，５４が点検口蓋２４の内面に映るようになっている（点検口蓋２４は後端部を中心として回動可能となっている）。
即ち点検口蓋２４の内面に映った操作部５４を正面から目で見て確認しながら、それら操作部５４を操作することができる。
【００３０】
図５において、７６は水栓ユニット３０の両側に配置されたカウンタ専用ブラケットで、このカウンタ専用ブラケット７６は、Ｖ字状部７６−１とプレート状部７６−２とから成っている。
Ｖ字状部７６−１には左，右方向の所定位置且つ複数個所において切起し片８０が設けられていて、その切起し片８０の前側（拡大図中左側）に係入溝８２が形成されている。
【００３１】
一方図７に示しているようにカウンタ１２には係入片８４が一体に成形されており、その係入片８４が係入溝８２に係入する状態で、カウンタ１２がカウンタ専用ブラケット７６に固定されている。
尚カウンタ１２の固定は、係入片８４を挿通してねじ７８を切起し片８０に形成した雌ねじ孔にねじ込むことで行われる。
またカウンタ専用ブラケット７６の下面には、図６に示しているように樹脂製のブラケットカバー８８が取り付けられる。
【００３２】
本例では、先ずカバー１４内部に水栓機構部４０及び各種配管を組み付けて水栓ユニット３０を構成し、そして予め組み付けた水栓ユニット３０を水栓ユニット専用固定具、つまりバックハンガ金具６６及びブラケット６０にてこれを取付壁Ｗに取付固定する。
その後カウンタ専用ブラケット７６を水栓ユニット３０の左，右両側に配置してこれを取付壁Ｗに固定し、そしてそれらカウンタ専用ブラケット７６にてカウンタ１２を、そのカウンタ１２がカバー１４の上面の開放部を閉鎖する状態に且つ上下にほぼ隙間を生ぜしめない状態に取付壁Ｗに固定する。
【００３３】
以上のように本例のカウンタ一体型埋込水栓１０は、カウンタ１２とカバー１４との間の収納空間内に温調機能部３６と切替機能部３８とを左右方向の両端部に離隔して配置し、そして止水栓４２，４４をそれらの間の位置に配置し、収納してあるため、温調機能部，切替機能部から左右方向に遠く離れた位置に止水栓を配置した場合のように、それらを内側に隠蔽すべくカウンタ１２及びカバー１４を左右方向に長く形成する必要がなく、それらの左右方向長を短く構成することができる。
即ちカウンタ一体型埋込水栓１０を左右方向長の短いコンパクトなものとして構成でき、その美観を良好とすることができる。
【００３４】
本例ではまた、止水栓４２，４４を縦向きに配向して、その下部に操作部５４をカバー１４の下面の点検口２２に臨んで配置してあることから、点検口２２を通じて止水栓４２，４４の操作をカウンタ一体型埋込水栓１０の左右方向の略中央部において容易に行うことができる。
【００３５】
加えて本例では、点検口２２を開閉する点検口蓋２４の内面に鏡面状のメッキ処理を施し、カバー１４を開いた状態でカバー内面に止水栓４２，４４の各操作部５４が映るようにしてあるので、止水栓４２，４４の操作に際しその点検口２２から上向きに覗き込む無理な姿勢を取らなくても、開いた状態の点検口蓋２４の内面を見ながらそれらを容易に操作することができる。
【００３６】
また本例では、温調機能部３６と切替機能部３８との間の位置に止水栓４２からの水を導く内部給水配管４８，止水栓４４からの湯を導く内部給湯管５０を設け，更に吐水口１６も配置してあるため、収納空間内で配管が複雑に入り組んだ状態となるものの、カウンタ一体型埋込水栓１０の左右長を短くでき、カウンタ一体型埋込水栓１０をコンパクトに構成することができる。
【００３７】
以上本発明の実施例を詳述したがこれはあくまで一例示であり、本発明はその趣旨を逸脱しない範囲において種々変更を加えた形態で構成可能である。
【図面の簡単な説明】
【図１】本発明の一実施例であるカウンタ一体型埋込水栓の正面図である。
【図２】同実施例の水栓におけるカバー内部の構造を後側から見た斜視図である
【図３】同実施例の水栓のカバー内部の構造を示す平面図である。
【図４】同実施例の水栓のカバー内部の構造を示す正面図である。
【図５】同実施例の水栓の取付構造をカウンタを除いた状態で示す図である。
【図６】図５のカウンタ専用ブラケットの下面をブラケットカバーで閉鎖した状態を示す図である。
【図７】同実施例の水栓のカウンタを示す図である。
【図８】従来公知のカウンタ一体型水栓の正面構成及び平面構成で示す図である。
【符号の説明】
１０  カウンタ一体型埋込水栓
１２  カウンタ
１４  カバー
１６  吐水口
２２  点検口
２４  点検口蓋
２８  シャワーヘッド
３６  温調機能部
３８  切替機能部
４０  水栓機構部
４２，４４  壁出し止水栓
４８  内部給水配管
５０  内部給湯配管
５４  操作部
Ｗ  取付壁
【図１】
2004150211.tif 000003
【図２】
2004150211.tif 000004
【図３】
2004150211.tif 000005
【図４】
2004150211.tif 000006
【図５】
2004150211.tif 000007
【図６】
2004150211.tif 000008
【図７】
2004150211.tif 000009
【図８】
2004150211.tif 000010